(57)【要約】【課題】トランスポートモニターによって取得された移動中の生体情報を含む、患者の一連の生体情報を診断し易い形で表示できるベッドサイドモニター及び表示方法を提供すること。【解決手段】ベッドサイドモニターは、トランスポートモニターが接続された状態で取得された心電波形と、トランスポートモニターが接続されていない状態でトランスポートモニターによって取得された心電波形とを、同一時間軸上に繋げて表示するとともに、トランスポートモニターが接続された状態で取得された心電波形と、トランスポートモニターが接続されていない状態でトランスポートモニターによって取得された心電波形とを繋げた位置を示す目印３０１、３０２を表示するようにした。【選択図】図６
2019013683.tif 000002
【特許請求の範囲】
【請求項１】
ベッドサイドモニターと、前記ベッドサイドモニターに接続可能な可搬型のトランスポートモニターと、を有する生体情報モニタリングシステムに用いられる前記ベッドサイドモニターであって、
前記トランスポートモニターが接続される接続部と、
前記トランスポートモニターが前記接続部に接続された状態で取得された第１の生体情報と、前記トランスポートモニターが前記接続部に接続されていない状態で前記トランスポートモニターによって取得された第２の生体情報と、を表示する表示部と、
を備え、
前記表示部は、前記第１の生体情報と前記第２の生体情報とを、同一時間軸上に繋げて表示するとともに、前記第１の生体情報と前記第２の生体情報とを繋げた位置を示す目印を表示する、
ベッドサイドモニター。
【請求項２】
前記表示部は、前記第１の生体情報と前記第２の生体情報とを繋げた位置近傍の、前記第１及び又は前記第２の生体情報をマスキングする、
請求項１に記載のベッドサイドモニター。
【請求項３】
前記ベッドサイドモニターに設定された患者ＩＤ、及び、前記トランスポートモニターに設定された患者ＩＤを識別するＩＤ識別部を、さら備え、
前記表示部は、前記ＩＤ識別部によって同一の患者ＩＤであると識別された前記第１の生体情報と前記第２の生体情報とを同一時間軸上に繋げる、
請求項１又は請求項２に記載のベッドサイドモニター。
【請求項４】
前記第１及び第２の生体情報は、心電波形である、
請求項１から請求項３のいずれか一項に記載のベッドサイドモニター。
【請求項５】
ベッドサイドモニターと、前記ベッドサイドモニターに接続可能な可搬型のトランスポートモニターと、を有する生体情報モニタリングシステムに用いられる表示方法であって、
前記ベッドサイドモニターに前記トランスポートモニターが接続された状態で、前記ベッドサイドモニター及び前記トランスポートモニターによって第１の生体情報を取得する第１の生体情報取得ステップと、
前記トランスポートモニターが接続されていない状態で、前記トランスポートモニターによって第２の生体情報を取得する第２の生体情報取得ステップと、
前記第１の生体情報と前記第２の生体情報とを同一時間軸上に繋げて表示するとともに、前記第１の生体情報と前記第２の生体情報とを繋げた位置を示す目印を表示する表示ステップと、
を含む表示方法。
【請求項６】
前記ベッドサイドモニターに設定された患者ＩＤ、及び、前記トランスポートモニターに設定された患者ＩＤを識別するステップを、さらに含み、
前記表示ステップでは、同一の患者ＩＤの前記第１の生体情報と前記第２の生体情報とを同一時間軸上に繋げる、
請求項５に記載の表示方法。
【発明の詳細な説明】
【技術分野】
【０００１】
本発明は、可搬型のトランスポートモニターを接続可能なベッドサイドモニター、及び、ベッドサイドモニターとベッドサイドモニターに接続可能な可搬型のトランスポートモニターとを有する生体情報モニタリングシステムに用いられる表示方法に関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移送と一緒に行う必要がある。小型の医療用ポータブルモニタシステム（例えば特許文献１、２参照）が広く用いられている。
【０００３】
この種のシステムとして、据置型のベッドサイドモニターに可搬型のトランスポートモニターを接続可能（具体的にはドッキング及び取り外し可能）とされたものがある。なおこの種のベッドサイドモニターは、トランスポートモニターに対するホストモニターと言うこともできる。
【０００４】
トランスポートモニターは、心電図測定用電極などが接続される端子部、小型ディスプレイ、データ記憶装置、及び、バッテリなどを有し、患者が移送中でも生体情報を途切れなく取得し、それを表示及び記録することができる。患者の移送中にトランスポートモニターに記録された生体情報は、トランスポートモニターがベッドサイドモニターにドッキングされた際にベッドサイドモニターに転送される。ベッドサイドモニターに転送された生体情報は、ベッドサイドモニターに接続されたセントラルモニターにも送られる。
【０００５】
このようなトランスポートモニターを有するシステムを用いれば、移送中の患者の生体情報を容易に取得できる。また、ベッドサイドモニターにトランスポートモニターをドッキングするように構成したことにより、患者に装着された生体情報取得用の電極などをベッドサイドモニターとトランスポートモニターとの間で接続し直すことなく、トランスポートモニターをベッドサイドモニターに抜き差しするだけで生体情報の測定を継続できる。
【先行技術文献】
【特許文献】
【０００６】
【特許文献１】特表平８−５０４３４５号公報
【特許文献２】特表平８−５０４５３１号公報
【発明の概要】
【発明が解決しようとする課題】
【０００７】
ところで、患者の移送中にトランスポートモニターで取得された生体情報は、一時的にトランスポートモニターの記憶部に記憶され、トランスポートモニターがベッドサイドモニターに接続されたときに、そのベッドサイドモニター及びセントラルモニターを介して、さらに上位のサーバ装置に送られる。サーバ装置は、ベッドサイドモニターによって取得された生体情報と、トランスポートモニターによって取得された生体情報と、の両方を表示部（ディスプレイ）上に表示できるようになっている。
【０００８】
よって、従来は、移送中を含む一連の生体情報を上位のサーバ装置で見ることはできたが、実際に患者の処置を行う現場に配置されているベッドサイドモニターでは見ることができず不便であった。また、ベッドサイドモニター及びトランスポートモニターを含む複数の生体情報モニターで取得された一連の生体情報を、診断がし易い形で表示するための配慮も不十分であった。
【０００９】
本発明は、以上の点を考慮してなされたものであり、トランスポートモニターによって取得された移送中の生体情報を含む、患者の一連の生体情報を診断し易い形で表示できるベッドサイドモニター及び表示方法を提供する。
【課題を解決するための手段】
【００１０】
本発明のベッドサイドモニターの一つの態様は、
ベッドサイドモニターと、前記ベッドサイドモニターに接続可能な可搬型のトランスポートモニターと、を有する生体情報モニタリングシステムに用いられる前記ベッドサイドモニターであって、
前記トランスポートモニターが接続される接続部と、
前記トランスポートモニターが前記接続部に接続された状態で取得された第１の生体情報と、前記トランスポートモニターが前記接続部に接続されていない状態で前記トランスポートモニターによって取得された第２の生体情報と、を表示する表示部と、
を備え、
前記表示部は、前記第１の生体情報と前記第２の生体情報とを、同一時間軸上に繋げて表示するとともに、前記第１の生体情報と前記第２の生体情報とを繋げた位置を示す目印を表示する。
【００１１】
本発明の表示方法の一つの態様は、
ベッドサイドモニターと、前記ベッドサイドモニターに接続可能な可搬型のトランスポートモニターと、を有する生体情報モニタリングシステムに用いられる表示方法であって、
前記ベッドサイドモニターに前記トランスポートモニターが接続された状態で、前記ベッドサイドモニター及び前記トランスポートモニターによって第１の生体情報を取得する第１の生体情報取得ステップと、
前記トランスポートモニターが接続されていない状態で、前記トランスポートモニターによって第２の生体情報を取得する第２の生体情報取得ステップと、
前記第１の生体情報と前記第２の生体情報とを同一時間軸上に繋げて表示するとともに、前記第１の生体情報と前記第２の生体情報とを繋げた位置を示す目印を表示する表示ステップと、
を含む。
【発明の効果】
【００１２】
本発明によれば、トランスポートモニターによって取得された移送中の生体情報を含む、患者の一連の生体情報を診断し易い形で表示できる。
【図面の簡単な説明】
【００１３】
【図１】実施の形態に係るベッドサイドモニター及びトランスポートモニターのドッキング（接続）の様子を示す図であり、図１Ａはベッドサイドモニターからトランスポートモニターを取り外す様子を示す図、図１Ｂは患者と一緒にトランスポートモニターを移動させる様子を示す図、図１Ｃはベッドサイドモニターにトランスポートモニターをドッキングさせる様子を示す図
【図２】実施の形態のベッドサイドモニター及びトランスポートモニターが接続される院内システムの概略構成を示す図
【図３】実施の形態のベッドサイドモニターの構成を示すブロック図
【図４】トランスポートモニターがベッドサイドモニターから外されたときにタッチパネルに表示される画面を示す図
【図５】トランスポートモニターがベッドサイドモニターに接続されたときにタッチパネルに表示される患者選択画面を示す図
【図６】実施の形態のベッドサイドモニターによって行われる生体情報の表示方法の説明に供する図であり、図６Ａはベッドサイドモニターにトランスポートモニターがドッキング（接続）された状態で取得された心電波形を示す図、図６Ｂはベッドサイドモニターからトランスポートモニターが取り外された状態でトランスポートモニターによって取得された心電波形を示す図、図６Ｃはベッドサイドモニターにトランスポートモニターが再ドッキング（再接続）された後にベッドサイドモニターに表示される心電波形を示す図
【図７】他の実施の形態の表示例を示す図
【図８】他の実施の形態の表示例を示す図
【発明を実施するための形態】
【００１４】
以下、本発明の実施の形態を、図面を参照して説明する。
【００１５】
＜１＞全体構成
先ず、実施の形態の全体構成及び前提構成について説明する。
【００１６】
図１は、ベッドサイドモニター１１、１２及びトランスポートモニター２０のドッキング（接続）の様子を示す図である。ここで、図示していないが、トランスポートモニター２０には、心電図測定用電極などの患者の生体情報を取得するための生体情報検出部が接続されている。
【００１７】
患者が、ベッドサイドモニター１１が配置された場所からベッドサイドモニター１２が配置された場所へと移送される場合、医師や看護師などの医療従事者はベッドサイドモニター１１からトランスポートモニター２０を取り外し（図１Ａ）、患者と一緒にトランスポートモニターを移動させた（図１Ｂ）後、ベッドサイドモニター１２にトランスポートモニター２０をドッキングさせる（図１Ｃ）。このようにすることで、患者の移送中でもトランスポートモニター２０によってその患者の生体情報を取得することができる。
【００１８】
ここで、トランスポートモニター２０の底面や側面、及び、それに対応するベッドサイドモニター１１、１２の面には、ドッキングしたときに互いに電気的に接続するコネクタ部が設けられており、これにより、トランスポートモニター２０とベッドサイドモニター１１、１２は、このコネクタ部を介して互いに生体情報及び設定情報などの情報を送受できるようになっている。
【００１９】
ベッドサイドモニター１１、１２とトランスポートモニター２０とを互いに比較した場合の各装置の特徴は以下の通りである。
【００２０】
ベッドサイドモニター：
・ベッドサイドに据え置いて設置されることが想定されており、トランスポートモニターよりも重い。
・表示できる生体情報のパラメータの数がトランスポートモニターよりも多い。
・接続できる外部機器の数がトランスポートモニターよりも多い。
・ディスプレイがトランスポートモニターよりも大きく、拡張ディスプレイも接続できる。
・セントラルモニターにネットワーク接続されることが前提となっている。
【００２１】
トランスポートモニター：
・持ち運びすることが想定されており、ベッドサイドモニターよりも小型で軽い。
・表示できる生体情報のパラメータの数がベッドサイドモニターよりも少ない。
・接続できる外部機器の数がベッドサイドモニターよりも少ない。
・ディスプレイがベッドサイドモニターよりも小さい。
・移動中に患者の生体情報を記録できるメモリを有する。このメモリは、例えば１０日間分の生体情報を記録できる容量を有する。
【００２２】
なお、ベッドサイドモニターとトランスポートモニターは必ずしも上述の特徴の全てを有する必要は無いが、少なくともトランスポートモニターはベッドサイドモニターよりも小型で軽く構成されており、持ち運び可能である。
【００２３】
図２は、本実施の形態のベッドサイドモニター及びトランスポートモニターが接続される病院内システム（以下「院内システム」と呼ぶ）１０の概略構成を示す図である。院内システム１０では、手術室に１以上のベッドサイドモニター１１Ａ〜１１Ｘが設置され、ＩＣＵ(Intensive Care Unit：集中治療室)に１以上のベッドサイドモニター１２Ａ〜１２Ｘが設置され、病棟に１以上のベッドサイドモニター１３Ａ〜１３Ｘが設置されている。なお、本明細書で述べる「病棟」とは、手術室やＩＣＵなどの特別な処置室を除くいわゆる「一般病棟」のことである。
【００２４】
手術室のベッドサイドモニター１１Ａ〜１１Ｘはセントラルモニター３１に接続されており、ＩＣＵのベッドサイドモニター１２Ａ〜１２Ｘはセントラルモニター３２に接続されており、病棟のベッドサイドモニター１３Ａ〜１３Ｘはセントラルモニター３３に接続されている。
【００２５】
さらに、セントラルモニター３１、３２、３３は、サーバ装置４０に接続されている。これにより、ベッドサイドモニター１１Ａ〜１１Ｘにより取得された生体情報はセントラルモニター３１に集約されて表示や記録が行われ、ベッドサイドモニター１２Ａ〜１２Ｘにより取得された生体情報はセントラルモニター３２に集約されて表示や記録が行われ、ベッドサイドモニター１３Ａ〜１３Ｘにより取得された生体情報はセントラルモニター３３に集約されて表示や記録が行われる。また、セントラルモニター３１、３２、３３で取得された生体情報はサーバ装置４０に集約されて記録される。サーバ装置４０は、例えばセントラルモニター３１、３２、３３やベッドサイドモニター１１Ａ〜１１Ｘ、１２Ａ〜１２Ｘ、１３Ａ〜１３Ｘの要求に応じて、記録した生体情報をセントラルモニター３１、３２、３３やベッドサイドモニター１１Ａ〜１１Ｘ、１２Ａ〜１２Ｘ、１３Ａ〜１３Ｘに送ることができる。
【００２６】
トランスポートモニター２０は、各ベッドサイドモニター１１Ａ〜１１Ｘ、１２Ａ〜１２Ｘ、１３Ａ〜１３Ｘにドッキング（接続）可能であり、患者と一緒に移動し、患者が移送された先のベッドサイドモニター１１Ａ〜１１Ｘ、１２Ａ〜１２Ｘ、１３Ａ〜１３Ｘにドッキング（接続）される。
【００２７】
なお、図２では、院内システム１０を示したが、トランスポートモニター２０は、例えば救急車内に設けられたベッドサイドモニターにドッキング（接続）することもできる。
【００２８】
＜２＞ベッドサイドモニターの構成
図３は、本実施の形態のベッドサイドモニター１００の構成を示すブロック図である。ベッドサイドモニター１００は、図１及び図２のベッドサイドモニター１１Ａ〜１１Ｘ、１２Ａ〜１２Ｘ、１３Ａ〜１３Ｘとして用いられるものである。
【００２９】
ベッドサイドモニター１００は、コネクタ部１０１、１０２、１０３を有する。
【００３０】
コネクタ部１０１は、患者に装着された生体情報検出部をベッドサイドモニター１００に接続するためのコネクタである。コネクタ部１０１には、心電図を検出するための心電図測定用電極２０１、血圧を検出するための血圧測定用カフ２０２、体温を検出するための体温センサ２０３、ＳｐＯ２を検出するためのＳｐＯ２センサ２０４、及び心拍出量を検出するための心拍出量センサ２０５等の生体情報検出部が接続される。
【００３１】
コネクタ部１０２には、トランスポートモニター２０が接続される。コネクタ部１０３には、セントラルモニター３０が接続される。
【００３２】
計測処理部１０４は、所定の計測処理を実行することで、コネクタ部１０１に接続された生体情報検出部（心電電極２０１、血圧測定用カフ２０２、体温センサ２０３、ＳｐＯ２センサ２０４及び心拍出量センサ２０５）を用いて患者の生体情報を計測する。なお、上記生体情報検出部を用いた各種生体情報の計測方法については従来周知のものを適用可能であるため、ここではその詳細な説明を省略する。計測処理部１０４によって得られた生体情報は、記憶部１０５に記憶されるとともにタッチパネル１０９に表示される。
【００３３】
一方、トランスポートモニター２０によって取得された生体情報は、コネクタ部１０２及び送受信処理部１０６を介して記憶部１０５に記憶される。因みに、トランスポートモニター２０の移動中にトランスポートモニター２０によって取得された生体情報は、一旦トランスポートモニターの記憶部（図示せず）に記憶され、ベッドサイドモニター１００と接続されたときにコネクタ部１０２及び送受信処理部１０６を介してベッドサイドモニター１００の記憶部１０５に転送記憶される。
【００３４】
記憶部１０５に記憶された生体情報は、送受信処理部１０６及びコネクタ部１０３を介してセントラルモニター３０に送られる。これにより、セントラルモニター３０では、ベッドサイドモニター１００及びトランスポートモニター２０で取得された生体情報を表示及び記録することができる。
【００３５】
制御部１１０は、計測処理部１０４、送受信処理部１０６、表示制御部１０７及びアラームインジケータ１０８を制御する。
【００３６】
タッチパネル１０９は、表示制御部１０７によって制御され、生体情報を計測値又は波形の形式で表示する。また、タッチパネル１０９は、生体情報を表示する表示機能を有するだけでなく、操作者による入力操作を受け付ける操作入力部としての機能も有する。具体的には、タッチパネル１０９におけるユーザーのタッチ操作を示す情報がタッチパネル１０９から制御部１１０に送られ、制御部１１０はタッチ操作に従って、タッチパネル１０９上での表示変更やベッドサイドモニター１００のモード変更、各種の登録処理などを行う。
【００３７】
アラームインジケータ１０８は、ベッドサイドモニター１００の筐体上部などに設けられており、制御部１１０によって生体情報に異常が生じたと判定されたときに例えば赤色に発光するようになっている。
【００３８】
また、ベッドサイドモニター１００は、接続検出部１１１及びＩＤ識別部１１２を有する。接続検出部１１１は、コネクタ部１０２にトランスポートモニター２０が接続されているか否かを検出し、検出結果を制御部１１０に送出する。ＩＤ識別部１１２は、コネクタ部１０２に接続されたトランスポートモニター２０に設定されている患者ＩＤをコネクタ部１０２を介して入力し、この患者ＩＤが以前に接続されたトランスポートモニター２０の患者ＩＤと同じか否かを識別し、識別結果を制御部１１０に送出する。
【００３９】
トランスポートモニター２０がベッドサイドモニター１００から外された場合、接続検出部１１１によってこのことが検出され、タッチパネル１０９には、図４に示す画面が表示される。ユーザー（医療従事者）によって「モニター中断」ボタンがタッチされると、ベッドサイドモニター１００はモニタリングの中断モードとなり、生体情報のモニタリングを中断する。これに対して、ユーザーによって「退床」ボタンがタッチされると、ベッドサイドモニター１００は退床処理を行う。
【００４０】
トランスポートモニター２０がベッドサイドモニター１００に接続された場合、接続検出部１１１によってこのことが検出され、タッチパネル１０９には、図５に示す患者選択画面が表示される。ユーザーは、この画面において、トランスポートモニター２０に設定されている患者ＩＤに紐付けられた患者情報を使うモード、本装置（ベッドサイドモニター１００）に設定されている患者ＩＤに紐付けられた患者情報を使うモード、又は、新規に患者情報を入力してモニタリングを開始するモードのうちのいずれかを選択できる。
【００４１】
＜３＞実施の形態による生体情報の表示
図６は、本実施の形態のベッドサイドモニター１００によって行われる生体情報の表示方法の説明に供する図である。なお、図６では、図を簡単化するために、実際よりも時間方向を短く示してある。
【００４２】
図６Ａは、ベッドサイドモニター１００にトランスポートモニター２０がドッキング（接続）された状態で取得された心電波形である。この心電波形は、ベッドサイドモニター１００の記憶部１０５に記憶される。
【００４３】
図６Ｂは、ベッドサイドモニター１００からトランスポートモニター２０が取り外された状態で、トランスポートモニター２０によって取得された心電波形である。この心電波形は、トランスポートモニター２０の記憶部（図示せず）に記憶される。
【００４４】
図６Ｃは、ベッドサイドモニター１００にトランスポートモニター２０が再ドッキング（再接続）された後に、ベッドサイドモニター１００に表示される心電波形である。図６Ｃからも分かるように、ベッドサイドモニター１００は、トランスポートモニター２０が接続された状態で取得された心電波形（図６Ａの心電波形）と、トランスポートモニター２０が接続されていない状態でトランスポートモニター２０によって取得された心電波形（図６Ｂの心電波形）とを、同一時間軸上に繋げて表示する。
【００４５】
加えて、ベッドサイドモニター１００は、トランスポートモニター２０が接続された状態で取得された心電波形（図６Ａの心電波形）と、トランスポートモニター２０が接続されていない状態でトランスポートモニター２０によって取得された心電波形（図６Ｂの心電波形）とを繋げた位置を示す目印３０１、３０２を表示する。目印３０１が付された位置はベッドサイドモニター１００からトランスポートモニター２０が外された時点ｔ１に対応する位置であり、目印３０２が付された位置はベッドサイドモニター１００にトランスポートモニター２０が再び取り付けられた（再接続された）時点ｔ２に対応する位置である。目印３０１、３０２を表示したことにより、医療従事者は、どこからどこまでの心電波形が患者の移送中にトランスポートモニター２０によって取得された波形なのかを容易に認識できるようになる。特に、本実施の形態では、目印３０１、３０２として三角形の図形を用い、その頂点が患者の移送中にトランスポートモニター２０によって取得された波形区間の方向を向くようになっているので、一目で移動中に取得された波形区間を認識できる。
【００４６】
さらに、本実施の形態では、図６Ｃから分かるように、単に図６Ａの心電波形と図６Ｂの心電波形を繋げるのではなく、繋ぎ目にマスク区間４０１、４０２を設けて図６Ａの心電波形と図６Ｂの心電波形を繋げる。このようにすることで、ベッドサイドモニター１００の機械時間とトランスポートモニター２０の機械時間との間に差があり、繋げる対象である２つの心電波形が時間方向に相対的にシフトしていたとしても、２つの心電波形を繋げた心電波形において、この機械時間の差に起因する不都合を抑制できる。
【００４７】
具体的には、マスク区間４０１、４０２を設けずに２つの心電波形を繋げると、繋ぎ目位置で機械時間の差に起因して波形が変動しているように表示されることとなってしまう。この波形変動は実際の心電波形の乱れではないが、医師は心電波形の乱れと勘違いして不整脈などの異常であると診断してしまうおそれがある。本実施の形態のようにマスク区間４０１、４０２を設けることにより、このような誤診断を未然に防ぐことができる。因みに、実際には、ベッドサイドモニター１００の機械時間と、トランスポートモニター２０の機械時間との間に数ｍｓｅｃ程度の差が生じることが想定される。これを考慮して、マスク区間４０１、４０２は、それぞれ、数ｍｓｅｃ程度以上とすることが好ましい。
【００４８】
実際上、上述したような、２つの心電波形を同一時間軸上に繋げる処理、目印３０１、３０２を付加する処理、及び、マスク区間４０１、４０２を設ける処理は、表示制御部１０７によって行われる。
【００４９】
因みに、本実施の形態では、２つの心電波形を繋げるにあたって、ＩＤ識別部１１２がベッドサイドモニター１００に設定された患者ＩＤ、及び、トランスポートモニター２０に設定された患者ＩＤを識別し、表示制御部１０７はＩＤ識別部１１２によって同一の患者ＩＤであると識別されたモニター同士の心電波形を繋げるようになっている。これにより、例えばベッドサイドモニター１００に前回の患者と異なる患者のトランスポートモニター２０が接続されても、それらの心電波形を繋げてしまうといった不都合を防止できる。
【００５０】
なお上述の実施の形態では、トランスポートモニター２０が接続された状態で取得された心電波形（図６Ａの心電波形）と、トランスポートモニター２０が接続されていない状態でトランスポートモニター２０によって取得された心電波形（図６Ｂの心電波形）とを繋げた位置を示す目印３０１、３０２として、三角形の図形を表示した場合について述べたが、目印はこれに限らない。例えば図７に示したように、移動期間であることを明示して表示することを目印としてもよい。また図８に示したように、マスク区間４０１、４０２を目印とすることで目印３０１、３０２を省略してもよい。
【００５１】
＜４＞実施の形態の効果
以上説明したように、本実施の形態によれば、ベッドサイドモニター１００は、トランスポートモニター２０が接続された状態で取得された心電波形（図６Ａの心電波形）と、トランスポートモニター２０が接続されていない状態でトランスポートモニター２０によって取得された心電波形（図６Ｂの心電波形）とを、同一時間軸上に繋げて表示するとともに、トランスポートモニターが接続された状態で取得された心電波形（図６Ａの心電波形）と、トランスポートモニター２０が接続されていない状態でトランスポートモニター２０によって取得された心電波形（図６Ｂの心電波形）とを繋げた位置を示す目印３０１、３０２を表示するようにした。これにより、トランスポートモニター２０によって取得された移動中の生体情報を含む、患者の一連の生体情報を診断し易い形で表示できるベッドサイドモニター１００を実現できる。
【００５２】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００５３】
上述の実施の形態の心電波形の表示は、ベッドサイドモニターに限らず、セントラルモニターで行うようにしてもよい。つまり、本発明の表示方法は、ベッドサイドモニターと、ベッドサイドモニターに接続可能な可搬型のトランスポートモニターと、を有する生体情報モニタリングシステムに用いられる表示方法であって、ベッドサイドモニターにトランスポートモニターが接続された状態で、ベッドサイドモニター及びトランスポートモニターによって第１の生体情報（図６Ａ）を取得するステップと、トランスポートモニターが接続されていない状態で、トランスポートモニターによって第２の生体情報（図６Ｂ）を取得するステップと、前記第１の生体情報と前記第２の生体情報とを同一時間軸上に繋げて表示する（図６Ｃ）とともに、前記第１の生体情報と前記第２の生体情報とを繋げた位置を示す目印を表示（図６Ｃ）するステップと、を含むようにすればよい。
【００５４】
また上述の実施の形態では、繋げて表示する生体情報として心電波形を例に挙げたが、繋げて表示する生体情報は心電波形に限らず、例えば酸素飽和度や血圧の波形でもよい。
【産業上の利用可能性】
【００５５】
本発明は、トランスポートモニターを接続可能なベッドサイドモニター、及び、ベッドサイドモニターとベッドサイドモニターに接続可能な可搬型のトランスポートモニターとを有する生体情報モニタリングシステムに用いられる表示方法に広く適用可能である。
【００５６】
また、上述の実施の形態のトランスポートモニターは、テレメータと読み換えて実施することもできる。つまり、本発明のトランスポートモニターは、ベッドサイドモニターに接続可能である、移動可能な生体情報測定装置を意味する。
【００５７】
本発明は、トランスポートモニターが接続部に接続された状態で取得された第１の生体情報と、トランスポートモニターが接続部に接続されていない状態でトランスポートモニターによって取得された第２の生体情報と、を繋げて表示する場合に広く有効である。上述の実施の形態における第２の生体情報は、移動中にはトランスポートモニターのメモリに記憶され、トランスポートモニターがベッドサイドモニターに接続されたときにベッドサイドモニターに転送されるものであった。しかし、第２の生体情報は、例えばトランスポートモニターがテレメータであった場合には、テレメータの移動中にセントラルモニターに無線送信されたものであってもよい。セントラルモニターに無線送信された第２の生体情報はベッドサイドモニターに送られて、ベッドサイドモニターによって、上述した方法によって第１の生体情報と同一時間軸上で繋ぎ合わされる。
【符号の説明】
【００５８】
１１、１１Ａ〜１１Ｘ、１２、１２Ａ〜１２Ｘ、１３Ａ〜１３Ｘ、１００  ベッドサイドモニター
２０  トランスポートモニター
１０７  表示制御部
１０９  タッチパネル
１１０  制御部
１１１  接続検出部
１１２  ＩＤ識別部
３０１、３０２  目印
４０１、４０２  マスク区間
【図１】
2019013683.tif 000003
【図２】
2019013683.tif 000004
【図３】
2019013683.tif 000005
【図４】
2019013683.tif 000006
【図５】
2019013683.tif 000007
【図６】
2019013683.tif 000008
【図７】
2019013683.tif 000009
【図８】
2019013683.tif 000010